(57)【要約】【課題】ユーザーの手間を要することなく印刷処理のジョブおよびキャリブレーション処理のいずれを優先すべきかを自動的に制御すること。【解決手段】画像形成装置１０は、印刷処理装置２と、キャリブレーション制御装置８ｃとを備える。前記キャリブレーション制御装置８ｃは、印刷処理のジョブが発生してから終了するまでの間に、印刷枚数に関する予め定められた調整実行条件が成立する場合に、予め定められた文字条件を満たす文字画像が印刷画像に含まれる場合には前記ジョブが終了した後にキャリブレーション処理を実行する（Ｓ１０７）。一方、前記キャリブレーション制御装置８ｃは、前記文字条件を満たす文字画像が前記印刷画像に含まれない場合には前記ジョブの終了を待たずに前記キャリブレーション処理を実行する（Ｓ１０４）。【選択図】図３
2019148656.tif 000002
【特許請求の範囲】
【請求項１】
像担持体上に印刷画像を表すトナー像を作像するとともに前記像担持体上の前記トナー像をシートに転写する印刷処理を実行する印刷処理装置と、
予め定められたテストトナー像を作像する処理を前記印刷処理装置に実行させるとともに前記テストトナー像の状態に応じて前記印刷処理装置のパラメーターを補正するキャリブレーション処理を実行するキャリブレーション制御装置と、を備え、
前記キャリブレーション制御装置は、前記印刷処理のジョブが発生してから終了するまでの間に、印刷枚数に関する予め定められた調整実行条件が成立する場合に、予め定められた文字条件を満たす文字画像が前記印刷画像に含まれる場合には前記ジョブが終了した後に前記キャリブレーション処理を実行し、前記文字条件を満たす文字画像が前記印刷画像に含まれない場合には前記ジョブの終了を待たずに前記キャリブレーション処理を実行する、画像形成装置。
【請求項２】
前記文字条件が、手書きの文字画像が前記印刷画像において予め定められた比率を超えて占めるという第１文字条件を含む、請求項１に記載の画像形成装置。
【請求項３】
前記文字条件が、予め定められたサンセリフ書体の文字画像が前記印刷画像において予め定められた比率を超えて占めるという第２文字条件を含む、請求項１または請求項２に記載の画像形成装置。
【請求項４】
前記文字条件が、予め定められた文字サイズを超える大きさの文字画像が前記印刷画像において予め定められた比率を超えて占めるという第３文字条件を含む、請求項１から請求項３のいずれか１項に記載の画像形成装置。
【請求項５】
前記キャリブレーション制御装置は、前記印刷処理のジョブが発生してから終了するまでの間に、前記調整実行条件が成立する場合に、前記文字条件を満たす文字画像が前記印刷画像に含まれ、かつ、写真画像が前記印刷画像に含まれない場合には前記ジョブが終了した後に前記キャリブレーション処理を実行し、前記文字条件を満たす文字画像が前記印刷画像に含まれない、または、前記写真画像が前記印刷画像に含まれる場合には前記ジョブの終了を待たずに前記キャリブレーション処理を実行する、請求項１から請求項４のいずれか１項に記載の画像形成装置。
【発明の詳細な説明】
【技術分野】
【０００１】
本発明は、キャリブレーション処理を実行する画像形成装置に関する。
【背景技術】
【０００２】
一般に、電子写真方式の画像形成装置において、印刷処理装置は、像担持体上に印刷画像を表すトナー像を作像するとともに前記像担持体上の前記トナー像をシートに転写する印刷処理を実行する。
【０００３】
また、前記画像形成装置は、予め定められた印刷枚数条件が成立する場合にキャリブレーション処理を実行する。前記キャリブレーション処理は、予め定められたテストトナー像を作像する処理を前記印刷処理装置に実行させ、前記テストトナー像の状態に応じて前記印刷処理装置のパラメーターを補正する処理である。
【０００４】
前記画像形成装置において、前記印刷処理のジョブが発生してから終了するまでの間に前記印刷枚数条件が成立する場合がある。
【０００５】
上記の場合、前記キャリブレーション処理が前記ジョブよりも優先して実行されると、良好な印刷品質が確保される反面、前記ジョブの終了が遅くなる。一方、前記ジョブが前記キャリブレーション処理よりも優先して実行されると、前記ジョブが早く終了する反面、良好な印刷品質が確保されない可能性がある。
【０００６】
また、前記画像形成装置が、クライアントから受信したページ記述言語ファイルのヘッダ情報に含まれるフラグの内容に応じて、前記キャリブレーション処理および前記ジョブのいずれかを優先して実行することが知られている（例えば、特許文献１参照）。前記フラグは、画質または時間を重視することを表す。
【先行技術文献】
【特許文献】
【０００７】
【特許文献１】特開２００６−１５７８０４号公報
【発明の概要】
【発明が解決しようとする課題】
【０００８】
ところで、ユーザーが、前記ジョブを前記画像形成装置に実行させるごとに前記ジョブおよび前記キャリブレーション処理のいずれを優先すべきかを指定することは手間である。
【０００９】
本発明の目的は、ユーザーの手間を要することなく印刷処理のジョブおよびキャリブレーション処理のいずれを優先すべきかを自動的に制御可能な画像形成装置を提供することにある。
【課題を解決するための手段】
【００１０】
本発明の一の局面に係る画像形成装置は、印刷処理装置と、キャリブレーション制御装置と、を備える。前記印刷処理装置は、像担持体上に印刷画像を表すトナー像を作像するとともに前記像担持体上の前記トナー像をシートに転写する印刷処理を実行する。前記キャリブレーション制御装置は、予め定められたテストトナー像を作像する処理を前記印刷処理装置に実行させるとともに前記テストトナー像の状態に応じて前記印刷処理装置のパラメーターを補正するキャリブレーション処理を実行する。前記キャリブレーション制御装置は、前記印刷処理のジョブが発生してから終了するまでの間に、印刷枚数に関する予め定められた調整実行条件が成立する場合に、予め定められた文字条件を満たす文字画像が前記印刷画像に含まれる場合には前記ジョブが終了した後に前記キャリブレーション処理を実行し、前記文字条件を満たす文字画像が前記印刷画像に含まれない場合には前記ジョブの終了を待たずに前記キャリブレーション処理を実行する。
【発明の効果】
【００１１】
本発明によれば、ユーザーの手間を要することなく印刷処理のジョブおよびキャリブレーション処理のいずれを優先すべきかを自動的に制御可能な画像形成装置を提供することが可能になる。
【図面の簡単な説明】
【００１２】
【図１】図１は、第１実施形態に係る画像形成装置の構成図である。
【図２】図２は、第１実施形態に係る画像形成装置における制御装置のブロック図である。
【図３】図３は、第１実施形態に係る画像形成装置における印刷制御の手順の一例を示すフローチャートである。
【図４】図４は、第２実施形態に係る画像形成装置における印刷制御の手順の一例を示すフローチャートである。
【発明を実施するための形態】
【００１３】
以下、図面を参照しながら、本発明の実施形態について説明する。なお、以下の実施形態は、本発明を具体化した一例であって、本発明の技術的範囲を限定するものではない。
【００１４】
［第１実施形態：画像形成装置１０の構成］
第１実施形態に係る画像形成装置１０は、電子写真方式で印刷処理を実行する。前記印刷処理は、シートにトナー像を形成する処理である。
【００１５】
図１に示されるように、画像形成装置１０は、前記印刷処理を実行する印刷処理装置２および制御装置８を備える。
【００１６】
例えば、画像形成装置１０は、プリンター、複写機、ファクシミリ装置または複合機などである。そのため、画像形成装置１０は、原稿９から画像を読み取る読取処理を実行する画像読取装置１をさらに備える。
【００１７】
前記印刷処理の対象となる画像は、画像読取装置１によって読み取られた画像および不図示のホスト装置から受信される印刷データが表す画像などである。前記シートは、用紙または合成樹脂のシートなどのシート状の画像形成媒体である。
【００１８】
制御装置８は、前記印刷処理のジョブなどに関する各種のデータ処理を実行し、さらに、各種の電気機器を制御する。
【００１９】
図１に示されるように、画像読取装置１は、プラテンガラス１３、イメージセンサーユニット１１０、可動支持装置１１およびプラテンカバー１２などを備える。
【００２０】
プラテンガラス１３は、原稿９が載置される透明な原稿台である。プラテンカバー１２は、プラテンガラス１３およびプラテンガラス１３上の原稿９を覆う。画像読取装置１は、プラテンカバー１２に組み込まれたＡＤＦ（Auto Document Feeder）１４をさらに備える。
【００２１】
原稿９は、プラテンガラス１３上に載置されるか、或いはＡＤＦ１４によって搬送される。イメージセンサーユニット１１０は、プラテンガラス１３上の原稿９を対象とする前記読取処理およびＡＤＦ１４によって搬送される原稿９を対象とする前記読取処理を実行可能である。
【００２２】
印刷処理装置２は、画像読取装置１によって原稿９から読み取られる画像に基づく前記印刷処理、または、他装置から受信される印刷データが表す画像に基づく前記印刷処理を実行可能である。
【００２３】
図１に示されるように、印刷処理装置２は、シート搬送装置３および画像形成部４を備える。シート搬送装置３は、前記シートをシート収容部２０からシート搬送路３０へ送り出し、さらに前記シートをシート搬送路３０に沿って搬送する。
【００２４】
画像形成部４は、作像ユニット４ｘ、レーザースキャニングユニット４０、転写装置４４および定着装置４６を備える。
【００２５】
作像ユニット４ｘにおいて、ドラム状の感光体４１が回転し、帯電装置４２が感光体４１の表面を一様に帯電させる。さらに、レーザースキャニングユニット４０が帯電した感光体４１の表面に静電潜像を書き込む。
【００２６】
さらに、作像ユニット４ｘの現像装置４３が、前記静電潜像をトナー像へ現像する。転写装置４４は、感光体４１の表面の前記トナー像を前記シートに転写する。続いて、定着装置４６が、前記シート上の前記トナー像を加熱および加圧することにより、前記トナー像を前記シートに定着させる。
【００２７】
図１に示される印刷処理装置２は、タンデム式の画像形成部４を有するカラープリンターである。そのため、画像形成部４は、それぞれ異なる色のトナーに対応する４つの作像ユニット４ｘを備る。さらに、転写装置４４は、４つの一次転写装置４４１、中間転写ベルト４４０および二次転写装置４４２を含む。
【００２８】
４つの作像ユニット４ｘが、それぞれ感光体４１、帯電装置４２および現像装置４３を含む。４つの作像ユニット４ｘは、それぞれシアン、マゼンタ、イエローおよびブラックの前記トナー像を感光体４１の表面に形成する。
【００２９】
作像ユニット４ｘ各々において、一次転写装置４４１が、前記トナー像を感光体４１から中間転写ベルト４４０へ転写する。これにより、４色の前記トナー像からなるカラー画像が中間転写ベルト４４０上に形成される。
【００３０】
二次転写装置４４２は、中間転写ベルト４４０上の４色の前記トナー像を前記シートに転写する。なお、画像形成装置１０において、感光体４１および中間転写ベルト４４０は、それぞれ前記トナー像を担持して回転する像担持体の一例である。
【００３１】
以上に示されるように、印刷処理装置２は、感光体４１および中間転写ベルト４４０上に印刷画像を表す前記トナー像を作像するとともに中間転写ベルト４４０上の前記トナー像を前記シートに転写する印刷処理を実行する。
【００３２】
また、印刷処理装置２は、帯電バイアス印加装置４２ａ、現像バイアス印加装置４３ａ、一次転写バイアス印加装置４４ａおよび画像濃度センサー７をさらに備える。
【００３３】
帯電バイアス印加装置４２ａは、帯電装置４２に帯電バイアスを印加する電気回路を含む。現像バイアス印加装置４３ａは、現像装置４３に現像バイアスを印加する電気回路を含む。一次転写バイアス印加装置４４ａは、一次転写装置４４１に一次転写バイアスを印加する電気回路を含む。
【００３４】
画像濃度センサー７は、中間転写ベルト４４０が担持する前記トナー像の濃度を検出するセンサーである。画像濃度センサー７は、中間転写ベルト４４０の表面に光を照射する発光素子および中間転写ベルト４４０の表面での反射光の光量を検出する光電変換素子と含む。前記光電変換素子の出力信号が、中間転写ベルト４４０が担持する前記トナー像の濃度を表す。
【００３５】
図２に示されるように、制御装置８は、ＣＰＵ（Central Processing Unit）８０、ＲＡＭ（Random Access Memory）８１、二次記憶装置８２および通信装置８３を備える。
【００３６】
ＣＰＵ８０は、プログラムを実行することにより、ジョブ制御部８ａ、画像データ処理部８ｂおよびキャリブレーション制御部８ｃなどとして動作する。
【００３７】
ジョブ制御部８ａは、前記読取処理のジョブ、前記印刷処理のジョブおよび複写処理のジョブなどの各種のジョブに関する各種のデータ処理および制御を実行する。前記複写処理は、前記読取処理と前記読取処理により原稿９から読み取られた画像に基づく前記印刷処理を含む。
【００３８】
画像データ処理部８ｂは、画像読取装置１または通信装置８３を通じて得られる画像データに対して加工処理およびデータ変換処理などの各種の画像処理を実行する。
【００３９】
キャリブレーション制御部８ｃは、キャリブレーション処理を実行する。前記キャリブレーション処理は、予め定められたテストトナー像を作像する処理を印刷処理装置２に実行させるとともに前記テストトナー像の状態に応じて印刷処理装置２のパラメーターを補正する処理である。
【００４０】
例えば、キャリブレーション制御部８ｃは、４つの作像ユニット４ｘ各々に対して前記テストトナー像を作像させる。これにより、４色の前記テストトナー像が、感光体４１の表面で現像された後、中間転写ベルト４４０に転写される。例えば、前記テストトナー像は、トナーパッチを含む。
【００４１】
さらに、キャリブレーション制御部８ｃは、画像濃度センサー７による４色の前記テストトナー像の濃度の検出結果を取得する。さらに、キャリブレーション制御部８ｃは、４色の前記テストトナー像の濃度の検出結果と予め定められた目標濃度との差に応じて、印刷処理装置２のパラメーターを補正する
【００４２】
例えば、前記キャリブレーション処理で補正される前記パラメーターは、前記現像バイアスの設定値である。また、前記パラメーターが、前記帯電バイアスおよび前記一次転写バイアスの一方または両方を含むことも考えられる。
【００４３】
なお、画像形成装置１０がモノクロプリンターである場合、前記テストトナー像は感光体４１上に作像され、画像濃度センサー７は、感光体４１上の前記テストトナー像の濃度を検出する。
【００４４】
キャリブレーション制御部８ｃは、印刷枚数に関する予め定められた調整実行条件が成立する場合に、前記キャリブレーション処理を実行する。なお、キャリブレーション制御部８ｃは、キャリブレーション制御装置の一例である。
【００４５】
具体的には、キャリブレーション制御部８ｃは、累積印刷枚数をカウントする。例えば、前記調整実行条件は、前記累積印刷枚数が予め定められた設定枚数の整数倍を下回る状態から超える状態へ変化したという条件である。この場合、キャリブレーション制御部８ｃは、前記累積印刷枚数が前記設定枚数の整数倍を超えるごとに前記キャリブレーション処理を実行する。
【００４６】
前記調整実行条件が、前記印刷処理の前記ジョブが発生してから終了するまでの間に成立する場合がある。この場合、前記キャリブレーション処理が前記ジョブよりも優先して実行されると、良好な印刷品質が確保される反面、前記ジョブの終了が遅くなる。一方、前記ジョブが前記キャリブレーション処理よりも優先して実行されると、前記ジョブが早く終了する反面、良好な印刷品質が確保されない可能性がある。
【００４７】
なお、ジョブ制御部８ａ、画像データ処理部８ｂおよびキャリブレーション制御部８ｃの一部または全部が、ＭＰＵ（Micro Processing Unit）またはＤＳＰ（Digital Signal Processor）などのプロセッサーによって実現されてもよい。また、ジョブ制御部８ａ、画像データ処理部８ｂおよびキャリブレーション制御部８ｃの一部または全部が、ＡＳＩＣ（Application Specific Integrated Circuit）などの回路によって実現されることも考えられる。
【００４８】
通信装置８３は、不図示のネットワークを通じて不図示のホスト装置またはその他の外部装置との間で通信を行う通信インターフェイスデバイスである。前記ホスト装置は、パーソナルコンピューターまたは携帯情報端末などの情報処理装置である。ＣＰＵ８０は、前記外部装置との間のデータの送信および受信の全てを、通信装置８３を通じて行う。
【００４９】
二次記憶装置８２は、コンピューター読み取り可能な不揮発性の記憶装置である。二次記憶装置８２は、ＣＰＵ８０により実行されるプログラムおよびＣＰＵ８０により参照される各種のデータを記憶する。例えば、フラッシュメモリーまたはハードディスクドライブの一方または両方が、二次記憶装置８２として採用される。
【００５０】
ＲＡＭ８１は、揮発性の記憶装置である。ＲＡＭ８１は、ＣＰＵ８０が実行するプログラムおよびＣＰＵ８０が前記プログラムを実行する過程で出力および参照するデータを一次記憶する。ＲＡＭ８１は、二次記憶装置８２よりも高速なデータアクセスが可能な記憶装置である。
【００５１】
ところで、ユーザーが、前記ジョブを画像形成装置１０に実行させるごとに前記ジョブおよび前記キャリブレーション処理のいずれを優先すべきかを指定することは手間である。
【００５２】
画像形成装置１０において、ＣＰＵ８０は、後述する印刷制御を実行する。これにより、画像形成装置１０は、前記ユーザーの手間を要することなく前記印刷処理のジョブおよび前記キャリブレーション処理のいずれを優先すべきかを自動的に制御可能である。
【００５３】
［印刷制御］
以下、図３に示されるフローチャートを参照しつつ、前記印刷制御の手順の一例について説明する。ジョブ制御部８ａは、前記印刷処理を含むジョブが発生したときに、前記印刷制御を開始させる。
【００５４】
例えば、ジョブ制御部８ａは、不図示の操作装置に対する複写開始操作を検出したときに、前記印刷処理を含む前記複写処理のジョブが発生したことを検出する。また、ジョブ制御部８ａは、通信装置８３を通じて前記ホスト装置から印刷要求を受信したときに、前記印刷処理のジョブが発生したことを検出する。
【００５５】
以下の説明において、Ｓ１０１，Ｓ１０２，…は、本実施形態の前記印刷制御における複数の工程の識別符号を表す。
【００５６】
＜工程Ｓ１０１＞
前記印刷制御において、まず、ジョブ制御部８ａは、印刷対象の画像を取得する。以下の説明において、前記印刷対象の画像のことを印刷画像と称する。
【００５７】
ジョブ制御部８ａは、前記複写処理のジョブの発生を検出した場合、画像読取装置１に前記読取処理を実行させ、前記読取処理によって得られる画像データを、前記印刷画像を表すデータとして取得する。
【００５８】
また、ジョブ制御部８ａは、前記ホスト装置からの要求に基づく前記印刷処理のジョブの発生を検出した場合、前記ホスト装置から通信装置８３を通じて前記印刷画像を表す前記印刷データを取得する。
【００５９】
さらに、ジョブ制御部８ａは、処理を工程Ｓ１０１から工程Ｓ１０２へ移行させる。
【００６０】
＜工程Ｓ１０２＞
工程Ｓ１０２において、キャリブレーション制御部８ｃが、前記調整実行条件が成立するか否かを判定する。キャリブレーション制御部８ｃは、前記調整実行条件が成立すると判定した場合に処理を工程Ｓ１０３へ移行させ、そうでない場合に処理を工程Ｓ１０５へ移行させる。
【００６１】
＜工程Ｓ１０３＞
工程Ｓ１０２において、画像データ処理部８ｂが、文字条件判定処理を実行する。前記文字条件判定処理は、前記印刷画像が、予め定められた文字条件を満たす文字画像を含むか否かを判定する処理である。
【００６２】
例えば、前記文字条件が、以下に示される第１文字条件、第２文字条件および第３文字条件のうちの一部または全部を含むことが考えられる。
【００６３】
前記第１文字条件は、手書きの文字画像が前記印刷画像において予め定められた比率を超えて占めるという条件である。一般に、前記手書きの文字画像は、高い印刷品質を求められない画像である。
【００６４】
従って、前記手書きの文字画像が前記印刷画像において占める比率が大きい場合、前記印刷処理が前記キャリブレーション処理よりも優先されることが望ましい。即ち、前記印刷処理の早期終了が、印刷処理装置２のパラメーターの補正よりも優先されることが望ましい。
【００６５】
画像データ処理部８ｂは、前記第１文字条件の判定において、前記印刷画像に対して周知の手書き文字認識処理を実行することにより、前記手書きの文字画像を抽出する。さらに、画像データ処理部８ｂは、認識した前記手書きの文字画像が、前記印刷画像における全描画画素おいて予め定められた比率を超えて占めるか否かを判定する。
【００６６】
前記第２文字条件は、予め定められたサンセリフ書体の文字画像が前記印刷画像において予め定められた比率を超えて占めるとい条件である。
【００６７】
一般に、文字線の端にセリフを有するセリフ書体の文字の画像が印刷される場合、印刷品質の低下がセリフの部分に顕著に表れる。一方、前記セリフを有さないサンセリフ書体の文字の画像が印刷される場合、印刷品質の低下が前記文字画像の印刷物に現れにくい。
【００６８】
従って、前記サンセリフ書体の前記文字画像が前記印刷画像において占める比率が大きい場合、前記印刷処理が前記キャリブレーション処理よりも優先されることが望ましい。
【００６９】
画像データ処理部８ｂは、前記第２文字条件の判定において、前記印刷画像に対して周知の文字認識処理を実行することにより、文字画像を抽出する。
【００７０】
さらに、画像データ処理部８ｂは、認識した前記文字画像における文字線の端にセリフが存在するか否かを判定する。これにより、画像データ処理部８ｂは、認識した前記文字画像がサンセリフ書体の文字を表すか否かを判定する。
【００７１】
さらに、画像データ処理部８ｂは、前記サンセリフ書体の文字を表すと判定した前記文字画像が、前記印刷画像における全描画画素おいて予め定められた比率を超えて占めるか否かを判定する。
【００７２】
前記第３文字条件は、予め定められた文字サイズを超える大きさの文字画像が前記印刷画像において予め定められた比率を超えて占めるという条件である。一般に、サイズの大きな前記文字画像が印刷される場合、印刷品質の低下が前記文字画像の印刷物に現れにくい。
【００７３】
従って、サイズの大きな前記文字画像が前記印刷画像において占める比率が大きい場合、前記印刷処理が前記キャリブレーション処理よりも優先されることが望ましい。
【００７４】
画像データ処理部８ｂは、前記第３文字条件の判定において、前記印刷画像に対して周知の文字認識処理を実行することにより、文字画像を抽出する。
【００７５】
さらに、画像データ処理部８ｂは、認識した前記文字画像が予め定められた文字サイズを超える大サイズ文字画像であるか否かを判定する。さらに、画像データ処理部８ｂは、前記大サイズ文字画像であると判定した前記文字画像が、前記印刷画像における全描画画素おいて予め定められた比率を超えて占めるか否かを判定する。
【００７６】
そして、画像データ処理部８ｂは、前記文字条件を満たす前記文字画像が前記印刷画像に含まれる判定した場合、処理を工程Ｓ１０６へ移行させ、そうでない場合に処理を工程Ｓ１０４へ移行させる。
【００７７】
＜工程Ｓ１０４＞
工程Ｓ１０４において、キャリブレーション制御部８ｃが、前記キャリブレーション処理を実行する。その後、キャリブレーション制御部８ｃは、処理を工程Ｓ１０５へ移行させる。
【００７８】
なお、工程Ｓ１０１から工程Ｓ１０４の処理は、前記印刷処理を含む前記ジョブが発生してから終了するまでの間に実行される。
【００７９】
＜工程Ｓ１０５＞
工程Ｓ１０５において、ジョブ制御部８ａが、前記印刷処理のジョブを印刷処理装置２に実行させる。その後、ジョブ制御部８ａは、前記印刷制御を終了させる。
【００８０】
＜工程Ｓ１０６＞
工程Ｓ１０６において、ジョブ制御部８ａが、前記印刷処理のジョブを印刷処理装置２に実行させる。その後、ジョブ制御部８ａは、処理を工程Ｓ１０７へ移行させる。
【００８１】
＜工程Ｓ１０７＞
工程Ｓ１０７において、キャリブレーション制御部８ｃが、前記キャリブレーション処理を実行する。その後、キャリブレーション制御部８ｃは、前記印刷制御を終了させる。
【００８２】
前記印刷処理のジョブが、複数ページ分の前記印刷画像に基づく前記印刷処理を含むことが考えられる。この場合、キャリブレーション制御部８ｃおよび画像データ処理部８ｂおよびジョブ制御部８ａは、先頭ページから１ページ分の前記印刷画像ごとに工程Ｓ１０２および工程Ｓ１０３の処理を順次実行する。
【００８３】
そして、前記調整実行条件が成立すると判定されない限り、工程Ｓ１０５において、１ページ分の前記印刷画像に基づく前記印刷処理が順次実行される。
【００８４】
一方、前記印刷処理のジョブの途中で、前記調整実行条件が成立すると判定された場合、前記文字条件を満たす前記文字画像が含まれると判定されるページの前記印刷画像については、工程Ｓ１０６において前記印刷処理が実行される。
【００８５】
そして、前記印刷処理のジョブの途中で、前記調整実行条件が成立すると判定された後、前記文字条件を満たす前記文字画像が含まれないと判定されるページを含む残りの全てのページの前記印刷画像については、工程Ｓ１０４において前記キャリブレーション処理が実行された後に、工程Ｓ１０５において前記印刷処理が実行される。
【００８６】
以上に示されるように、キャリブレーション制御部８ｃは、前記印刷処理のジョブが発生してから終了するまでの間に前記調整実行条件が成立する場合に、前記文字条件を満たす文字画像が前記印刷画像に含まれる場合には、前記ジョブが終了した後に前記キャリブレーション処理を実行する（Ｓ１０７）。
【００８７】
一方、キャリブレーション制御部８ｃは、前記印刷処理のジョブが発生してから終了するまでの間に前記調整実行条件が成立する場合に、前記文字条件を満たす文字画像が前記印刷画像に含まれない場合には、前記ジョブの終了を待たずに前記キャリブレーション処理を実行する（Ｓ１０４）。
【００８８】
前記第１文字条件、前記第２文字条件および前記第３文字条件は、前記印刷処理および前記キャリブレーション処理のいずれを優先すべきかの判断への影響が大きい。画像形成装置１０は、そのような文字条件の判定結果に応じて、ユーザーの手間を要することなく前記印刷処理のジョブおよび前記キャリブレーション処理のいずれを優先すべきかを自動的に制御可能である。
【００８９】
［第２実施形態］
第２実施形態に係る画像形成装置は、画像形成装置１０と同じ構成を備えるが、前記印刷制御の手順の一部が、図３に示される手順と異なる。
【００９０】
以下、図４を参照しつつ、本実施形態に係る画像形成装置における前記印刷制御の手順の一例について説明する。
【００９１】
以下の説明において、Ｓ２０１，Ｓ２０２，…は、本実施形態の前記印刷制御における複数の工程の識別符号を表す。
【００９２】
＜工程Ｓ２０１，Ｓ２０２＞
本実施形態において、まず、ジョブ制御部８ａおよびキャリブレーション制御部８ｃは、図３の工程Ｓ１０１および工程Ｓ１０２と同じ処理を実行する。
【００９３】
そして、キャリブレーション制御部８ｃは、前記調整実行条件が成立すると判定した場合に処理を工程Ｓ２０３へ移行させ、そうでない場合に処理を工程Ｓ２０５へ移行させる。
【００９４】
＜工程Ｓ２０３＞
工程Ｓ２０３において、画像データ処理部８ｂが、写真条件判定処理を実行する。前記写真条件判定処理は、写真画像が前記印刷画像に含まれるか否かを判定する処理である。
【００９５】
一般に、前記写真画像の印刷は、前記キャリブレーション処理が前記印刷処理よりも優先されることが望ましい。即ち、印刷処理装置２のパラメーターの補正が、前記印刷処理の早期終了よりも優先されることが望ましい。
【００９６】
そして、画像データ処理部８ｂは、前記写真画像が前記印刷画像に含まれると判定した場合、処理を工程Ｓ２０４および工程Ｓ２０５へ移行させ、そうでない場合に処理を工程Ｓ２０６へ移行させる。
【００９７】
＜工程Ｓ２０４，Ｓ２０５＞
工程Ｓ２０４および工程Ｓ２０５において、キャリブレーション制御部８ｃおよびジョブ制御部８ａが、図３の工程Ｓ１０４および工程Ｓ１０５と同じ処理を実行する。その後、ジョブ制御部８ａは、前記印刷制御を終了させる。
【００９８】
＜工程Ｓ２０６＞
工程Ｓ２０６において、画像データ処理部８ｂが、図３の工程Ｓ１０３と同じ処理を実行する。そして、画像データ処理部８ｂは、前記文字条件を満たす前記文字画像が前記印刷画像に含まれる判定した場合、処理を工程Ｓ２０７および工程Ｓ２０８へ移行させ、そうでない場合に処理を工程Ｓ２０４へ移行させる。
【００９９】
＜工程Ｓ２０７，Ｓ２０８＞
工程Ｓ２０７および工程Ｓ２０８において、ジョブ制御部８ａおよびキャリブレーション制御部８ｃが、図３の工程Ｓ１０６および工程Ｓ１０７と同じ処理を実行する。その後、キャリブレーション制御部８ｃは、前記印刷制御を終了させる。
【０１００】
本実施形態において、キャリブレーション制御部８ｃは、前記印刷処理のジョブが発生してから終了するまでの間に前記調整実行条件が成立する場合に、前記文字条件を満たす文字画像が前記印刷画像に含まれ、かつ、前記写真画像が前記印刷画像に含まれない場合には、前記ジョブが終了した後に前記キャリブレーション処理を実行する（Ｓ２０８）。
【０１０１】
一方、キャリブレーション制御部８ｃは、前記印刷処理のジョブが発生してから終了するまでの間に前記調整実行条件が成立する場合に、前記文字条件を満たす文字画像が前記印刷画像に含まれない、または、前記写真画像が前記印刷画像に含まれる場合には、前記ジョブの終了を待たずに前記キャリブレーション処理を実行する（Ｓ２０４）。
【０１０２】
本実施形態においても、第１実施形態と同様の効果が得られる。また、本実施形態においては、前記印刷処理および前記キャリブレーション処理のいずれを優先すべきかの判断への影響が大きな前記写真画像の有無が考慮される。この点において、本実施形態は、よりユーザーの意図に沿った前記キャリブレーション処理の制御が実行される。
【符号の説明】
【０１０３】
１        ：画像読取装置
２        ：印刷処理装置
３        ：シート搬送装置
４        ：画像形成部
４ｘ      ：作像ユニット
７        ：画像濃度センサー
８        ：制御装置
８ａ      ：ジョブ制御部
８ｂ      ：画像データ処理部
８ｃ      ：キャリブレーション制御部
９        ：原稿
１０      ：画像形成装置
１１      ：可動支持装置
１２      ：プラテンカバー
１３      ：プラテンガラス
２０      ：シート収容部
３０      ：シート搬送路
４０      ：レーザースキャニングユニット
４１      ：感光体
４２      ：帯電装置
４２ａ    ：帯電バイアス印加装置
４３      ：現像装置
４３ａ    ：現像バイアス印加装置
４４      ：転写装置
４４ａ    ：一次転写バイアス印加装置
４６      ：定着装置
８０      ：ＣＰＵ
８１      ：ＲＡＭ
８２      ：二次記憶装置
８３      ：通信装置
１１０    ：イメージセンサーユニット
４４０    ：中間転写ベルト
４４１    ：一次転写装置
４４２    ：二次転写装置
【図１】
2019148656.tif 000003
【図２】
2019148656.tif 000004
【図３】
2019148656.tif 000005
【図４】
2019148656.tif 000006